(57)【特許請求の範囲】
【請求項１】
水道水を電気分解することで次亜塩素酸を含む水を生成する次亜塩素酸含有水生成部と、
水道水を電気分解することで殺菌性金属イオンを前記水道水の中に溶出する電極を有する殺菌性金属イオン水生成部と、
前記次亜塩素酸を含む水および前記殺菌性金属イオンを含む水を殺菌対象物へと吐出する吐水部と、
前記次亜塩素酸含有水生成部および前記殺菌性金属イオン水生成部の動作を制御し、前記吐水部から前記次亜塩素酸を含む水の吐出を開始した後に、前記殺菌性金属イオンを含む水の吐出を開始し、前記吐水部から前記次亜塩素酸を含む水の吐出が終了した後に、前記殺菌性金属イオンを含む水の吐出が終了する制御を実行する制御部と、
を備えたことを特徴とする除菌水生成装置。
【請求項２】
前記次亜塩素酸を含む水の吐出が終了する前に、前記殺菌性金属イオンを含む水の吐出が開始されることを特徴とする請求項１記載の除菌水生成装置。
【請求項３】
前記殺菌性金属イオンを含む水の吐出が開始される前に、前記次亜塩素酸を含む水の吐出が一時的に停止することを特徴とする請求項１記載の除菌水生成装置。
【請求項４】
前記次亜塩素酸を含む水の吐出が終了した後に、前記殺菌性金属イオンを含む水の吐出が一時的に停止することを特徴とする請求項１または３に記載の除菌水生成装置。
【請求項５】
水道水を電気分解することで次亜塩素酸を含む水を生成する次亜塩素酸含有水生成部と、
水道水を電気分解することで殺菌性金属イオンを前記水道水の中に溶出する電極を有する殺菌性金属イオン水生成部と、
前記次亜塩素酸を含む水および前記殺菌性金属イオンを含む水を洗い場床へと吐出する吐水部と、
前記次亜塩素酸含有水生成部および前記殺菌性金属イオン水生成部の動作を制御し、前記吐水部から前記次亜塩素酸を含む水の吐出を開始した後に、前記殺菌性金属イオンを含む水の吐出を開始する制御を実行する制御部と、
を備えたことを特徴とする除菌水生成装置。
【発明の詳細な説明】
【技術分野】
【０００１】
本発明の態様は、一般的に、除菌水生成装置に関する。
【背景技術】
【０００２】
例えば、除菌水が滞留しにくい対象物であって多くの汚れが存在している対象物（例えば浴室の洗い場床など）を少量且つ低濃度（人体への影響を抑えた濃度）の除菌水で除菌するためには、次亜塩素酸を含む水と殺菌性金属イオンを含む水とを対象物に吐出することが好ましい。例えば、供給水に殺菌性金属イオンを添加する殺菌性金属添加ユニットと、供給水に次亜塩素酸を添加する次亜塩素酸添加ユニットと、を備えた機能水生成装置がある（特許文献１）。
【０００３】
一般的に、次亜塩素酸を含む水は、即効性を有し、菌の細胞膜を短時間で破壊することができる一方で、汚れと極めて反応しやすい。そのため、次亜塩素酸を含む水が菌の核を攻撃する前に汚れと反応することで、次亜塩素酸の濃度は低下する。  
これに対して、殺菌性金属イオンを含む水の即効性は、次亜塩素酸を含む水の即効性よりも低い。そのため、殺菌性金属イオンを含む水は、菌の細胞膜を短時間で破壊することはできない一方で、次亜塩素酸を含む水と比較すると汚れとは反応しにくく、細胞膜を通って細胞質へ進入し核の細胞分裂を抑える。そのため、殺菌性金属イオンの濃度は、長時間にわたって持続する。
【０００４】
このように、次亜塩素酸を含む水と、殺菌性金属イオンを含む水と、は、互いに短所を補完し合う関係にある。そのため、次亜塩素酸を含む水は、菌の細胞膜を短時間で破壊し、殺菌性金属イオンを含む水は、次亜塩素酸を含む水によって破壊された細胞膜から菌の内部へ進入し、濃度が持続した状態で菌の核を長時間にわたって攻撃することができる。
【０００５】
しかし、本発明者が得た知見によれば、低濃度（人体への影響を抑えた濃度）の除菌水を吐出した場合には、菌の細胞膜が破壊されるまでに時間がかかる。そのため、特許文献１に記載されたように、次亜塩素酸を含む水と殺菌性金属イオンを含む水との吐出を同時に開始すると、初期に吐出される殺菌性金属イオンを含む水は、細胞膜が破壊される前に流されて無駄になるという問題がある。また、殺菌性金属イオンを含む水が無駄になると、殺菌性金属イオンを含む水を生成する装置の電極の寿命が短くなるという問題がある。
【先行技術文献】
【特許文献】
【０００６】
【特許文献１】特開２００１−２５２６７４号公報
【発明の概要】
【発明が解決しようとする課題】
【０００７】
本発明は、かかる課題の認識に基づいてなされたものであり、殺菌性金属イオンを含む水を生成する装置の電極の寿命を向上させることができる除菌水生成装置を提供することを目的とする。
【課題を解決するための手段】
【０００８】
第１の発明は、水道水を電気分解することで次亜塩素酸を含む水を生成する次亜塩素酸含有水生成部と、水道水を電気分解することで殺菌性金属イオンを前記水道水の中に溶出する電極を有する殺菌性金属イオン水生成部と、前記次亜塩素酸を含む水および前記殺菌性金属イオンを含む水を殺菌対象物へと吐出する吐水部と、前記次亜塩素酸含有水生成部および前記殺菌性金属イオン水生成部の動作を制御し、前記吐水部から前記次亜塩素酸を含む水の吐出を開始した後に、前記殺菌性金属イオンを含む水の吐出を開始し、前記吐水部から前記次亜塩素酸を含む水の吐出が終了した後に、前記殺菌性金属イオンを含む水の吐出が終了する制御を実行する制御部と、を備えたことを特徴とする除菌水生成装置である。
【０００９】
この除菌水生成装置によれば、殺菌性金属イオンを含む水は、無駄なく効率的に菌の核を攻撃することができる。これにより、殺菌性金属イオン水生成部の電極から溶出する殺菌性金属イオンの量を最小限に抑えることができる。これにより、殺菌性金属イオン水生成部の電極の寿命を向上させることができる。また、次亜塩素酸を含む水の吐出の終了と、殺菌性金属イオンを含む水の吐出の終了と、を同時に行う場合と比較して、除菌効果をさらに高めることができる。すなわち、殺菌性金属イオンを含む水は、終期に吐出された次亜塩素酸を含む水が破壊した細胞膜を通って菌の核を攻撃することができる。これにより、除菌効果をさらに高めることができる。
【００１０】
第２の発明は、第１の発明において、前記次亜塩素酸を含む水の吐出が終了する前に、前記殺菌性金属イオンを含む水の吐出が開始されることを特徴とする除菌水生成装置である。
【００１１】
この除菌水生成装置によれば、次亜塩素酸を含む水の吐出が終了した後に殺菌性金属イオンを含む水の吐出が開始される場合と比較して、除菌効果を低下させることなく次亜塩素酸を含む水および殺菌性金属イオンを含む水の総吐出量を低減することができる。すなわち、次亜塩素酸を含む水が吐出されている途中において吐出された殺菌性金属イオンを含む水は、初期に吐出された次亜塩素酸を含む水が破壊した細胞膜を通って菌の核を攻撃することができる。これにより、除菌効果を低下させることなく総吐出量を低減することができる。
【００１４】
第３の発明は、第１の発明において、前記殺菌性金属イオンを含む水の吐出が開始される前に、前記次亜塩素酸を含む水の吐出が一時的に停止することを特徴とする除菌水生成装置である。
【００１５】
この除菌水生成装置によれば、次亜塩素酸を含む水の作用時間を十分に確保することができる。つまり、次亜塩素酸を含む水がより多くの細胞膜を破壊した状態で、殺菌性金属イオンを含む水の吐出が開始される。そのため、殺菌性金属イオンを含む水は、より多くの菌の核を攻撃することができる。
【００１６】
第４の発明は、第１または３の発明において、前記次亜塩素酸を含む水の吐出が終了した後に、前記殺菌性金属イオンを含む水の吐出が一時的に停止することを特徴とする除菌水生成装置である。
【００１７】
この除菌水生成装置によれば、次亜塩素酸を含む水の作用時間を十分に確保することができる。つまり、次亜塩素酸を含む水がより多くの細胞膜を破壊した状態で、殺菌性金属イオンを含む水の吐出が開始される。そのため、殺菌性金属イオンを含む水は、より多くの菌の核を攻撃することができる。
第５の発明は、水道水を電気分解することで次亜塩素酸を含む水を生成する次亜塩素酸含有水生成部と、水道水を電気分解することで殺菌性金属イオンを前記水道水の中に溶出する電極を有する殺菌性金属イオン水生成部と、前記次亜塩素酸を含む水および前記殺菌性金属イオンを含む水を洗い場床へと吐出する吐水部と、前記次亜塩素酸含有水生成部および前記殺菌性金属イオン水生成部の動作を制御し、前記吐水部から前記次亜塩素酸を含む水の吐出を開始した後に、前記殺菌性金属イオンを含む水の吐出を開始する制御を実行する制御部と、を備えたことを特徴とする除菌水生成装置である。
この除菌水生成装置によれば、殺菌性金属イオンを含む水は、無駄なく効率的に菌の核を攻撃することができる。これにより、殺菌性金属イオン水生成部の電極から溶出する殺菌性金属イオンの量を最小限に抑えることができる。これにより、殺菌性金属イオン水生成部の電極の寿命を向上させることができる。
【発明の効果】
【００１８】
本発明の態様によれば、殺菌性金属イオンを含む水を生成する装置の電極の寿命を向上させることができる除菌水生成装置が提供される。
【図面の簡単な説明】
【００１９】
【図１】本発明の実施の形態にかかる除菌水生成装置を表すブロック図である。
【図２】本実施形態の次亜塩素酸含有水生成部の具体例を表す模式的断面図である。
【図３】本実施形態の殺菌性金属イオン水生成部の具体例を表す模式的断面図である。
【図４】次亜塩素酸を含む水および殺菌性金属イオンを含む水の作用を表す模式的断面図である。
【図５】次亜塩素酸を含む水の作用を表す模式的断面図である。
【図６】殺菌性金属イオンを含む水の作用を表す模式的断面図である。
【図７】本実施形態にかかる除菌水生成装置の動作を表すフローチャート図である。
【図８】本実施形態にかかる除菌水生成装置の動作を表すタイミングチャート図である。
【図９】本実施形態にかかる除菌水生成装置の他の動作を表すタイミングチャート図である。
【図１０】本実施形態にかかる除菌水生成装置の他の動作を表すタイミングチャート図である。
【図１１】本実施形態にかかる除菌水生成装置を備えた浴室を表す模式的斜視図である。
【図１２】除菌水生成装置が設けられた部分を拡大した模式的拡大図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる除菌水生成装置を表すブロック図である。  
図１では、水路系の要部構成と電気系の要部構成とが併せて表されている。
【００２１】
本実施形態にかかる除菌水生成装置１００は、止水栓１０１と、電磁弁１０３と、調圧弁１０５と、逆止弁１０７と、次亜塩素酸含有水生成部１１０と、負圧破壊装置（バキュームブレーカ）１２１と、殺菌性金属イオン水生成部１３０と、モータ１４１と、吐水部１４３と、制御部１４５と、操作部１４７と、を備える。
【００２２】
止水栓１０１は、給水管と接続され、手動により開閉可能とされている。例えば、止水栓１０１は、除菌水生成装置１００の取り付け・取り外しや、保守点検の際などに流路１５１を随時遮断することができる。なお、止水栓１０１は、除菌水生成装置１００に設けられてもよいし、または、除菌水生成装置１００とは別体の要素として給水管と除菌水生成装置１００との間に設けられてもよい。
【００２３】
電磁弁１０３は、止水栓１０１の下流に設けられている。電磁弁１０３は、制御部１４５が出力する信号に基づいて流路１５１の開閉状態を切り替え、水の供給を制御する。  
調圧弁１０５は、電磁弁１０３の下流に設けられている。調圧弁１０５は、給水管から供給される水の圧力（給水圧）が高い場合に、給水圧を所定の圧力の範囲に調整する。  
逆止弁１０７は、調圧弁１０５の下流に設けられている。逆止弁１０７は、流路１５１の内部の圧力が低下した場合などに、例えば、次亜塩素酸を含む水が次亜塩素酸含有水生成部１１０から給水管へ向かって逆流したり、殺菌性金属イオンを含む水が殺菌性金属イオン水生成部１３０から給水管へ向かって逆流することを防止する。
【００２４】
次亜塩素酸含有水生成部１１０は、逆止弁１０７の下流に設けられている。ここで、次亜塩素酸含有水生成部１１０の具体例について、図面を参照しつつ説明する。
【００２５】
図２は、本実施形態の次亜塩素酸含有水生成部の具体例を表す模式的断面図である。  
本具体例の次亜塩素酸含有水生成部１１０は、陽極１１１と、陰極１１３と、を内部に有し、制御部１４５から出力された通電の制御信号により、陽極１１１と、陰極１１３と、の間の空間（流路）を流れる水道水を電気分解することができる。電圧が陽極１１１と陰極１１３との間に供給されると、式（１）に表した反応が陰極１１３において生ずる。
Ｈ＋＋ｅ−  →  １／２Ｈ２↑                 ・・・（１）
【００２６】
一方で、電圧が陽極１１１と陰極１１３との間に供給されると、式（２）および式（３）に表した反応が陽極１１１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２７】
式（３）において発生した塩素は気泡としては存在しにくく、ほとんどの塩素は水に溶解する。そのため、式（３）において発生した塩素については、式（４）に表した反応が生ずる。このようにして、塩素イオンを電気分解することにより次亜塩素酸（ＨＣｌＯ）が生成される。その結果、次亜塩素酸含有水生成部１１０において電気分解された水は、次亜塩素酸を含む水に変化する。
Ｃｌ２＋Ｈ２Ｏ  →  ＨＣｌＯ＋Ｈ＋＋Ｃｌ−    ・・・（４）
【００２８】
図１に戻って説明すると、負圧破壊装置１２１は、次亜塩素酸含有水生成部１１０の下流に設けられている。負圧破壊装置１２１は、負圧が流路１５１に発生した場合などに、例えば、殺菌性金属イオンを含む水が殺菌性金属イオン水生成部１３０から給水管へ向かって逆流することを防止する。あるいは、負圧破壊装置１２１は、流路１５１の水抜きの際に外部から空気を取り込み、流路１５１の水抜きを促進する。
【００２９】
殺菌性金属イオン水生成部１３０は、負圧破壊装置１２１の下流に設けられている。ここで、殺菌性金属イオン水生成部１３０の具体例について、図面を参照しつつ説明する。
【００３０】
図３は、本実施形態の殺菌性金属イオン水生成部の具体例を表す模式的断面図である。  本具体例の殺菌性金属イオン水生成部１３０は、一対の電極１３１、１３３を有し、制御部１４５から出力された通電の制御信号により、一対の電極１３１、１３３の間を流れる水を電気分解することができる。一対の電極１３１、１３３のいずれか一方は、陽極（アノード）となり、一対の電極１３１、１３３のいずれか他方は、陰極（カソード）となる。陽極となる電極は、銀（Ａｇ）または銀を含有する金属からなる。なお、一般的には、一対の電極１３１、１３３の両方を銀により形成し、印加電圧の極性を適宜反転させることが望ましい。
【００３１】
一対の電極１３１、１３３の間に電圧が供給されると、陽極側の電極（図３では、電極１３１）から銀イオンが放出される。放出された銀イオンは、水の流れＷ１にのって下流側へ流れる水に流入する。これにより、殺菌性金属イオン水生成部１３０において通電された水は、殺菌性金属イオンを含む水に変化する。殺菌性金属イオンを含む水は、例えば、殺菌作用や除菌作用などを発揮する。
【００３２】
なお、本実施形態の殺菌性金属イオン水生成部１３０において、陽極側の電極１３１から放出される金属イオンは、銀イオンには限定されない。陽極側の電極１３１から放出される金属イオンは、例えば、銅イオンあるいは亜鉛イオンであってもよい。以下の説明では、陽極側の電極１３１から放出される金属イオンが銀イオンである場合を例に挙げる。
【００３３】
図１に戻って説明すると、吐水部１４３は、殺菌性金属イオン水生成部１３０の下流に設けられている。吐水部１４３は、次亜塩素酸を含む水および殺菌性金属イオンを含む水の少なくともいずれかを対象物に吐出する。  
モータ１４１は、制御部１４５から出力された信号に基づいてトルクを発生し、例えば、吐水部１４３を所定の軸を中心として回転させる。これにより、吐水部１４３は、次亜塩素酸を含む水および殺菌性金属イオンを含む水の少なくともいずれかをより広い範囲に吐出することができる。  
操作部１４７は、例えば使用者の操作に基づいた信号を制御部１４５に送信する。  
制御部１４５は、電磁弁１０３と、次亜塩素酸含有水生成部１１０と、殺菌性金属イオン水生成部１３０と、モータ１４１と、の動作を制御する。
【００３４】
本実施形態にかかる除菌水生成装置１００では、制御部１４５は、次亜塩素酸を含む水の吐出を開始した後に、殺菌性金属イオンを含む水の吐出を開始する制御を実行する。この詳細について、図面を参照しつつさらに説明する。
【００３５】
図４は、次亜塩素酸を含む水および殺菌性金属イオンを含む水の作用を表す模式的断面図である。  
図５は、次亜塩素酸を含む水の作用を表す模式的断面図である。  
図６は、殺菌性金属イオンを含む水の作用を表す模式的断面図である。
【００３６】
図４〜図６に表したように、基材（対象物）２０１の表面２０１ａに汚れ２０３が付着した状態について説明する。基材２０１としては、例えば浴室の洗い場床などが挙げられる。汚れ２０３としては、例えば皮脂やタンパク質などが挙げられる。汚れ２０３には、菌２１０が含まれている。菌２１０は、核（ＤＮＡ）２１１と、細胞質２１３と、細胞膜２１５と、を有する。
【００３７】
図５に表したように、次亜塩素酸を含む水は、即効性を有し、菌２１０の細胞膜２１５を短時間で破壊することができる。一方で、次亜塩素酸を含む水は、汚れ２０３と極めて反応しやすい。そのため、次亜塩素酸を含む水が菌２１０の核２１１を攻撃する前に汚れ２０３と反応することで、次亜塩素酸の濃度は低下する。
【００３８】
これに対して、図６に表したように、殺菌性金属イオン（図６では銀イオン）を含む水の即効性は、次亜塩素酸を含む水の即効性よりも低い。そのため、殺菌性金属イオンを含む水は、菌２１０の細胞膜２１５を短時間で破壊することはできない。一方で、殺菌性金属イオンを含む水は、次亜塩素酸を含む水と比較すると汚れ２０３とは反応しにくく、細胞膜２１５を通って細胞質２１３へ進入し核２１１の細胞分裂を抑える。そのため、殺菌性金属イオンの濃度は、長時間にわたって持続する。
【００３９】
このように、次亜塩素酸を含む水と、殺菌性金属イオンを含む水と、は、互いに短所を補完し合う関係にある。そのため、図４に表したように、次亜塩素酸を含む水は、菌２１０の細胞膜２１５を短時間で破壊し、殺菌性金属イオン（図４では銀イオン）を含む水は、次亜塩素酸を含む水によって破壊された細胞膜２１５から菌２１０の内部へ進入し、濃度が持続した状態で菌２１０の核２１１を長時間にわたって攻撃することができる。
【００４０】
ここで、本発明者が得た知見によれば、吐水部が低濃度（人体への影響を抑えた濃度）の次亜塩素酸を含む水を吐出した場合には、菌の細胞膜が破壊されるまでに時間がかかる。そのため、次亜塩素酸を含む水と殺菌性金属イオンを含む水との吐出を同時に開始すると、初期に吐出される殺菌性金属イオンを含む水は、細胞膜が破壊される前に流されて無駄になるという問題がある。また、殺菌性金属イオンを含む水が無駄になると、殺菌性金属イオン水生成部の電極の寿命が短くなるという問題がある。
【００４１】
これに対して、本実施形態の制御部１４５は、次亜塩素酸を含む水の吐出を開始した後に、殺菌性金属イオンを含む水の吐出を開始する制御を実行する。  
これによれば、殺菌性金属イオンを含む水は、無駄なく効率的に菌２１０の核２１１を攻撃することができる。これにより、殺菌性金属イオン水生成部１３０の電極１３１から溶出する殺菌性金属イオンの量を最小限に抑えることができる。これにより、殺菌性金属イオン水生成部１３０の電極１３１、１３３の寿命を向上させることができる。
【００４２】
図７は、本実施形態にかかる除菌水生成装置の動作を表すフローチャート図である。  
除菌水生成装置１００が動作を開始する前の状態では、電磁弁１０３は閉じ、モータ１４１は停止し、次亜塩素酸含有水生成部１１０および殺菌性金属イオン水生成部１３０には電圧は供給されていない。
【００４３】
除菌水生成装置１００は、動作を開始すると（ステップＳ１０１）、スイッチが入っているか否かを判断する（ステップＳ１０３）。スイッチが入っていない場合には（ステップＳ１０３：Ｎ）、除菌水生成装置１００は、スイッチが入っているか否かを引き続き判断する（ステップＳ１０３）。スイッチが入っている場合には（ステップＳ１０３：Ｙ）、吐水部１４３は、次亜塩素酸を含む水を吐出する（ステップＳ１０５）。このとき、電磁弁１０３が開き、モータ１４１が動作を開始し、次亜塩素酸含有水生成部１１０に電圧が供給される。
【００４４】
続いて、除菌水生成装置１００は、次亜塩素酸の濃度が所定濃度以上であるか否かを判断する（ステップＳ１０７）。次亜塩素酸の濃度が所定濃度以上である場合には（ステップＳ１０７：Ｙ）、除菌水生成装置１００は、吐水部１４３が次亜塩素酸を含む水を第１の所定時間吐出したか否かを判断する（ステップＳ１０９）。吐水部１４３が次亜塩素酸を含む水を第１の所定時間吐出してない場合には（ステップＳ１０９：Ｎ）、除菌水生成装置１００は、吐水部１４３が次亜塩素酸を含む水を第１の所定時間吐出したか否かを引き続き判断する（ステップＳ１０９）。吐水部１４３が次亜塩素酸を含む水を第１の所定時間吐出した場合には（ステップＳ１０９：Ｙ）、吐水部１４３は、次亜塩素酸を含む水の吐出を終了する（ステップＳ１１１）。このとき、次亜塩素酸含有水生成部１１０に対する電圧の供給が停止する。
【００４５】
続いて、吐水部１４３は、第１の濃度の殺菌性金属イオンを含む水を吐出する（ステップＳ１１３）。このとき、殺菌性金属イオン水生成部１３０に電圧が供給される。続いて、除菌水生成装置１００は、吐水部１４３が第１の濃度の殺菌性金属イオンを含む水を第３の所定時間吐出したか否かを判断する（ステップＳ１１５）。吐水部１４３が第１の濃度の殺菌性金属イオンを含む水を第３の所定時間吐出してない場合には（ステップＳ１１５：Ｎ）、除菌水生成装置１００は、吐水部１４３が第１の濃度の殺菌性金属イオンを含む水を第３の所定時間吐出したか否かを引き続き判断する（ステップＳ１１５）。吐水部１４３が第１の濃度の殺菌性金属イオンを含む水を第３の所定時間吐出した場合には（ステップＳ１１５：Ｙ）、吐水部１４３は、第１の濃度の殺菌性金属イオンを含む水の吐出を終了する（ステップＳ１１７）。続いて、除菌水生成装置１００は、動作を終了する（ステップＳ１１９）。
【００４６】
一方で、次亜塩素酸の濃度が所定濃度以上ではない場合には（ステップＳ１０７：Ｎ）、除菌水生成装置１００は、吐水部１４３が次亜塩素酸を含む水を第２の所定時間吐出したか否かを判断する（ステップＳ１２１）。ここで、第２の所定時間は、第１の所定時間（ステップＳ１０９参照）よりも長い。吐水部１４３が次亜塩素酸を含む水を第２の所定時間吐出してない場合には（ステップＳ１２１：Ｎ）、除菌水生成装置１００は、吐水部１４３が次亜塩素酸を含む水を第２の所定時間吐出したか否かを引き続き判断する（ステップＳ１２１）。吐水部１４３が次亜塩素酸を含む水を第２の所定時間吐出した場合には（ステップＳ１２１：Ｙ）、吐水部１４３は、次亜塩素酸を含む水の吐出を終了する（ステップＳ１２３）。このとき、次亜塩素酸含有水生成部１１０に対する電圧の供給が停止する。
【００４７】
続いて、吐水部１４３は、第２の濃度の殺菌性金属イオンを含む水を吐出する（ステップＳ１２５）。ここで、第２の濃度は、第１の濃度（ステップＳ１１３参照）よりも高い。このとき、殺菌性金属イオン水生成部１３０に電圧が供給される。続いて、除菌水生成装置１００は、吐水部１４３が第２の濃度の殺菌性金属イオンを含む水を第３の所定時間吐出したか否かを判断する（ステップＳ１２７）。吐水部１４３が第２の濃度の殺菌性金属イオンを含む水を第３の所定時間吐出してない場合には（ステップＳ１２７：Ｎ）、除菌水生成装置１００は、吐水部１４３が第２の濃度の殺菌性金属イオンを含む水を第３の所定時間吐出したか否かを引き続き判断する（ステップＳ１２７）。吐水部１４３が第２の濃度の殺菌性金属イオンを含む水を第３の所定時間吐出した場合には（ステップＳ１２７：Ｙ）、吐水部１４３は、第２の濃度の殺菌性金属イオンを含む水の吐出を終了する（ステップＳ１２９）。続いて、除菌水生成装置１００は、動作を終了する（ステップＳ１３１）。
【００４８】
このように、本実施形態にかかる除菌水生成装置１００では、次亜塩素酸を含む水の吐出が開始された後に、殺菌性金属イオンを含む水の吐出が開始される。言い換えれば、実施形態の制御部１４５は、次亜塩素酸を含む水の吐出を開始した後に、殺菌性金属イオンを含む水の吐出を開始する制御を実行する。  
これにより、図４〜図６に関して前述した効果が得られる。
【００４９】
図８は、本実施形態にかかる除菌水生成装置の動作を表すタイミングチャート図である。  
図８に表したタイミングチャート図において、次亜塩素酸含有水生成部１１０の「ＯＮ」は、次亜塩素酸含有水生成部１１０に電圧が供給されている状態を表す。一方で、次亜塩素酸含有水生成部１１０の「ＯＦＦ」は、次亜塩素酸含有水生成部１１０に電圧が供給されていない状態を表す。  
また、図８に表したタイミングチャート図において、殺菌性金属イオン水生成部１３０の「ＯＮ」は、殺菌性金属イオン水生成部１３０に電圧が供給されている状態を表す。一方で、殺菌性金属イオン水生成部１３０の「ＯＦＦ」は、殺菌性金属イオン水生成部１３０に電圧が供給されていない状態を表す。
【００５０】
除菌水生成装置１００が動作を開始する前の状態では、電磁弁１０３は閉じ、次亜塩素酸含有水生成部１１０および殺菌性金属イオン水生成部１３０には電圧は供給されていない。
【００５１】
続いて、電磁弁１０３が開き、次亜塩素酸含有水生成部１１０に電圧が供給される（タイミングｔ１）。これにより、次亜塩素酸を含む水の生成が開始され、次亜塩素酸を含む水の吐出が開始される。
【００５２】
続いて、電磁弁１０３が開いたままで、次亜塩素酸含有水生成部１１０に対する電圧の供給が終了する（タイミングｔ２）。これにより、次亜塩素酸を含む水の吐出が終了する。また、殺菌性金属イオン水生成部１３０に電圧が供給される（タイミングｔ２）。これにより、殺菌性金属イオンを含む水の生成が開始され、殺菌性金属イオンを含む水の吐出が開始される。
【００５３】
続いて、電磁弁１０３が閉じ、殺菌性金属イオン水生成部１３０に対する電圧の供給が終了する（タイミングｔ３）。これにより、殺菌性金属イオンを含む水の吐出が終了する。
【００５４】
図８に表した動作の例では、次亜塩素酸を含む水の吐出が開始された後に、殺菌性金属イオンを含む水の吐出が開始される。また、次亜塩素酸を含む水の吐出が終了するタイミングにおいて、殺菌性金属イオンを含む水の吐出が開始される。これにより、図４〜図６に関して前述した効果が得られる。
【００５５】
図９は、本実施形態にかかる除菌水生成装置の他の動作を表すタイミングチャート図である。  
図９に表したタイミングチャート図における「ＯＮ」および「ＯＦＦ」は、図８に関して前述した通りである。
【００５６】
除菌水生成装置１００が動作を開始する前の状態は、図８に関して前述した動作開始前の状態と同じである。また、タイミングｔ１１における動作は、図８に関して前述したタイミングｔ１における動作と同じである。
【００５７】
続いて、殺菌性金属イオン水生成部１３０に電圧が供給される（タイミングｔ１２）。これにより、殺菌性金属イオンを含む水の生成が開始され、殺菌性金属イオンを含む水の吐出が開始される。
【００５８】
続いて、次亜塩素酸含有水生成部１１０に対する電圧の供給が終了する（タイミングｔ１３）。これにより、次亜塩素酸を含む水の吐出が終了する。
【００５９】
続いて、電磁弁１０３が閉じ、殺菌性金属イオン水生成部１３０に対する電圧の供給が終了する（タイミングｔ１４）。これにより、殺菌性金属イオンを含む水の吐出が終了する。
【００６０】
なお、タイミングｔ１２〜ｔ１３においては、次亜塩素酸を含む水および殺菌性金属イオンを含む水の両方が吐水部１４３から吐出される。このとき、殺菌性金属イオンを含む水は、次亜塩素酸を含む水を吐出する吐水部と同じ吐水部から吐出されてもよいし、次亜塩素酸を含む水を吐出する吐水部とは異なる吐水部から吐出されてもよい。
【００６１】
図９に表した動作の例では、次亜塩素酸を含む水の吐出が終了する前に、殺菌性金属イオンを含む水の吐出が開始される（タイミングｔ１２、タイミングｔ１３）。これによれば、次亜塩素酸を含む水の吐出が終了した後に殺菌性金属イオンを含む水の吐出が開始される場合と比較して、除菌効果を低下させることなく次亜塩素酸を含む水および殺菌性金属イオンを含む水の総吐出量を低減することができる。すなわち、次亜塩素酸を含む水が吐出されている途中において吐出された殺菌性金属イオンを含む水は、初期に吐出された次亜塩素酸を含む水が破壊した細胞膜２１５を通って核２１１を攻撃することができる。これにより、除菌効果を低下させることなく総吐出量を低減することができる。
【００６２】
また、図９に表した動作の例では、次亜塩素酸を含む水の吐出が終了した後に、殺菌性金属イオンを含む水の吐出が終了する。これによれば、次亜塩素酸を含む水の吐出の終了と、殺菌性金属イオンを含む水の吐出の終了と、を同時に行う場合と比較して、除菌効果をさらに高めることができる。すなわち、殺菌性金属イオンを含む水は、終期に吐出された次亜塩素酸を含む水が破壊した細胞膜２１５を通って核２１１を攻撃することができる。これにより、除菌効果をさらに高めることができる。
【００６３】
図１０は、本実施形態にかかる除菌水生成装置の他の動作を表すタイミングチャート図である。  
図１０に表したタイミングチャート図における「ＯＮ」および「ＯＦＦ」は、図８に関して前述した通りである。
【００６４】
除菌水生成装置１００が動作を開始する前の状態は、図８に関して前述した動作開始前の状態と同じである。また、タイミングｔ２１における動作は、図８に関して前述したタイミングｔ１における動作と同じである。
【００６５】
続いて、電磁弁１０３が閉じ、次亜塩素酸含有水生成部１１０に対する電圧の供給が終了する（タイミングｔ２２）。これにより、次亜塩素酸を含む水の吐出が終了する。  
続いて、電磁弁１０３が閉じた状態のままで、且つ、次亜塩素酸含有水生成部１１０および殺菌性金属イオン水生成部１３０に電圧が供給されないままで、所定時間が経過する（タイミングｔ２２〜ｔ２３）。これにより、次亜塩素酸を含む水および殺菌性金属イオンを含む水の吐出が停止する。
【００６６】
続いて、電磁弁１０３が開く（タイミングｔ２３）。また、次亜塩素酸含有水生成部１１０および殺菌性金属イオン水生成部１３０に電圧が供給される（タイミングｔ２３）。これにより、次亜塩素酸を含む水および殺菌性金属イオンを含む水の生成が開始され、次亜塩素酸を含む水および殺菌性金属イオンを含む水の吐出が開始される。
【００６７】
続いて、電磁弁１０３が閉じ、次亜塩素酸含有水生成部１１０および殺菌性金属イオン水生成部１３０に対する電圧の供給が終了する（タイミングｔ２４）。これにより、次亜塩素酸を含む水および殺菌性金属イオンを含む水の吐出が終了する。  
続いて、タイミングｔ２２〜ｔ２３に関して前述した動作と同様の動作が実行される（タイミングｔ２４〜ｔ２５）。これにより、次亜塩素酸を含む水および殺菌性金属イオンを含む水の吐出が停止する。
【００６８】
続いて、電磁弁１０３が開き、殺菌性金属イオン水生成部１３０に電圧が供給される（タイミングｔ２５）。これにより、殺菌性金属イオンを含む水の生成が開始され、殺菌性金属イオンを含む水の吐出が開始される。
【００６９】
続いて、電磁弁１０３が閉じ、殺菌性金属イオン水生成部１３０に対する電圧の供給が終了する（タイミングｔ２６）。これにより、殺菌性金属イオンを含む水の吐出が終了する。
【００７０】
図１０に表した動作の例では、殺菌性金属イオンを含む水の吐出が開始される前に、次亜塩素酸を含む水の吐出が一時的に停止する。また、次亜塩素酸を含む水の吐出が終了した後に、殺菌性金属イオンを含む水の吐出が一時的に停止する。これによれば、次亜塩素酸を含む水の作用時間を十分に確保することができる。つまり、次亜塩素酸を含む水がより多くの細胞膜２１５を破壊した状態で、殺菌性金属イオンを含む水の吐出が開始される。そのため、殺菌性金属イオンを含む水は、より多くの菌２１０の核２１１を攻撃することができる。
【００７１】
図１１は、本実施形態にかかる除菌水生成装置を備えた浴室を表す模式的斜視図である。  
図１２は、除菌水生成装置が設けられた部分を拡大した模式的拡大図である。
【００７２】
図１１に表した浴室３００は、洗い場床３０１と、浴槽３１０と、第１の壁パネル３０３と、第２の壁パネル３０５と、除菌水生成装置１００と、を備える。図１１に表した浴室３００では、制御部１４５は、浴室３００の天井裏に設けられている。但し、制御部１４５の設置位置は、浴室３００の天井裏には限定されず、除菌水生成装置１００と一体的に設けられていてもよい。
【００７３】
第１の壁パネル３０３には、浴室カウンタ３２１と、水栓カウンタ３２３と、鏡３２５と、が設けられている。図１２に表したように、除菌水生成装置１００の一部は、浴室カウンタ３２１の内部に設けられている。吐水部１４３は、浴室カウンタ３２１の下面を通して浴室カウンタ３２１の外部に延びている。吐水部１４３は、次亜塩素酸を含む水および殺菌性金属イオンを含む水の少なくともいずれかを洗い場床３０１（対象物）に吐出する。
【００７４】
浴室３００の外側には、操作部１４７が設けられている。操作部１４７は、浴室３００の内側に設けられていてもよい。あるいは、操作部１４７は、除菌水生成装置１００と一体的に設けられていてもよい。例えば、使用者は、操作部１４７を操作することで、次亜塩素酸を含む水あるいは殺菌性金属イオンを含む水の吐出を開始することができる。
【００７５】
除菌水生成装置１００は、図１〜図１０に関して前述した通りである。これによれば、除菌水生成装置１００を備えた浴室３００において、殺菌性金属イオン水生成部１３０の電極１３１、１３３の寿命を向上させることができる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、除菌水生成装置１００などが備える各要素の形状、寸法、材質、配置などや除菌水生成装置１００の設置形態などは、例示したものに限定されるわけではなく適宜変更することができる。  
除菌水生成装置１００の設置位置は、浴室３００には限定されない。例えば、除菌水生成装置１００は、システムキッチンや洗面化粧台などに設置されてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１００ 除菌水生成装置、  １０１ 止水栓、  １０３ 電磁弁、  １０５ 調圧弁、  １０７ 逆止弁、  １１０ 次亜塩素酸含有水生成部、  １１１ 陽極、  １１３ 陰極、  １２１ 負圧破壊装置、  １３０ 殺菌性金属イオン水生成部、  １３１、１３３ 電極、  １４１ モータ、  １４３ 吐水部、  １４５ 制御部、  １４７ 操作部、  １５１ 流路、  ２０１ 基材、  ２０１ａ 表面、  ２０３ 汚れ、  ２１０ 菌、  ２１１ 核、  ２１３ 細胞質、  ２１５ 細胞膜、  ３００ 浴室、  ３０１ 洗い場床、  ３０３ 第１の壁パネル、  ３０５ 第２の壁パネル、  ３１０ 浴槽、  ３２１ 浴室カウンタ、  ３２３ 水栓カウンタ、  ３２５ 鏡
【図１】
0006596862.tif 000002
【図２】
0006596862.tif 000003
【図３】
0006596862.tif 000004
【図４】
0006596862.tif 000005
【図５】
0006596862.tif 000006
【図６】
0006596862.tif 000007
【図７】
0006596862.tif 000008
【図８】
0006596862.tif 000009
【図９】
0006596862.tif 000010
【図１０】
0006596862.tif 000011
【図１１】
0006596862.tif 000012
【図１２】
0006596862.tif 000013